(57)【要約】【課題】靴下のずれ落ちや、ずれを抑制すること。【解決手段】靴下１は、ボディー部２とフット部３とを備える。そして、ボディー部２の外周部に足の挿入方向に沿って設けられ、扇状に開く複数の糸を備える支柱部２ｂ２を有している。【選択図】図１
2014173204.tif 000002
【特許請求の範囲】
【請求項１】
ボディー部とフット部とを備える靴下において、
前記ボディー部の外周部に足の挿入方向に沿って設けられ、扇状に開く複数の糸を備える束部を有することを特徴とする靴下。
【請求項２】
隣り合う前記束部の間にヘリンボーン状の模様が縫製されている請求項１に記載の靴下。
【請求項３】
着用時に前記束部が扇状に開いたときの要が着用者のアキレス腱に対応する部位に位置するように設けられている請求項１または２に記載の靴下。
【請求項４】
前記フット部に踵を形作る縫製が設けられていない請求項１ないし３のいずれかに記載の靴下。
【発明の詳細な説明】
【技術分野】
【０００１】
本発明は靴下に関する。
【背景技術】
【０００２】
靴下の滑り落ちを防止するための試みがなされている。例えば、膝下から靴下の履き口部分のゴム編み部分までの長さのサポーターを提供し、短靴下のゴム編み部分をサポーター下部の緩いゴム編み部分に重ねて着用することにより短靴下の滑り落ちを防止する試みがなされている。
また、身体との密着性及び生地の伸縮性を長期にわたって保つ試みがなされている。
【先行技術文献】
【特許文献】
【０００３】
【特許文献１】特開２００２−１２９４０４号公報
【特許文献２】特開２０１２−４１６６７号公報
【発明の概要】
【発明が解決しようとする課題】
【０００４】
靴下の上部のずり落ちが強くすることでずり落ちにくくなるがその部分に圧力が加わり、下腿部に支障をきたし血行障害が出現するおそれがある。医学界の一説によると下腿三頭筋の遠位部に浮腫を生じると血液が凝固し、心疾患や脳内疾患の引き金になる要素がある。だから、靴下の上部の強い圧力は避けるのが好ましい。しかしながら、上部の圧力を弱くすると、靴下はずり落ちやすくその影響で靴下全体がずれを発生してしまう。
１つの側面では、本発明は、靴下のずれ落ちや、ずれを抑制することを目的とする。
【課題を解決するための手段】
【０００５】
上記目的を達成するために、開示の靴下が提供される。この靴下は、ボディー部とフット部とを備える。そして、ボディー部の外周部に足の挿入方向に沿って設けられ、扇状に開く複数の糸を備える束部を有している。
【発明の効果】
【０００６】
１態様では、靴下のずれ落ちや、ずれを抑制することができる。
【図面の簡単な説明】
【０００７】
【図１】第１の実施の形態の靴下を示す図である。
【図２】第１の実施の形態の靴下を着用したときの一例を示す図である。
【図３】第２の実施の形態の靴下を示す図である。
【図４】第２の実施の形態の靴下の変形例を示す図である。
【図５】第３の実施の形態の靴下を示す図である。
【図６】第３の実施の形態の靴下を着用したときの一例を示す図である。
【発明を実施するための形態】
【０００８】
以下、実施の形態の靴下を、図面を参照して詳細に説明する。
＜第１の実施の形態＞
図１は、第１の実施の形態の靴下を示す図である。
【０００９】
図１に示す靴下１は、ボディー部２と、フット部３とを備えている。ボディー部２は、靴下１を着用したときに、アキレス腱から上側が位置することを想定して作成される部位である。フット部３は、靴下１を着用したときに、踵から足の先端部分が位置することを想定して作成される部位である。
靴下１は、踵の形状に即した意図的な編み加工が設けられていない、すなわち、踵を形作る縫製が設けられていない、いわゆる踵がない靴下である。
【００１０】
ボディー部２には足が挿入される開口部２ａが形成されている。ボディー部２には、ふくらはぎを包み込むことでボディー部２のずり落ちを抑制する保持部２ｂが設けられている。
【００１１】
保持部２ｂには、ふくらはぎに対応する部分にヘリンボーン（杉模様）状の模様を備える複数の編み込み部２ｂ１が形成されている。隣り合う編み込み部２ｂ１は、ナイロン製の生地で互いに縫いつけられている。横にナイロン製の生地にすることで、横方向への伸縮性に富み、下方向に織り込むことができる。隣り合う編み込み部２ｂ１間には、足の挿入方向に沿って支柱部２ｂ２が設けられている。支柱部２ｂ２は、ボディー部２の外周部に足の挿入方向に沿って設けられている。支柱部２ｂ２は、複数の繊維の束で形成されている。この繊維の束全体の径は、例えば、１ｍｍ程度である。この繊維それぞれの径は、例えば、０．１ｍｍ程度である。また、この糸の束それぞれの構成材料は、例えば、ナイロンやゴム等、ストッキングに用いられるものが挙げられる。
【００１２】
図２は、第１の実施の形態の靴下を着用したときの一例を示す図である。図２は、一例として靴下１を着用した右足１０を踵側から見た図を示している。靴下１は、内くるぶしに対応する部位２ｃと外くるぶしに対応する部位２ｄが盛り上がっている。
【００１３】
靴下１を着用すると、ふくらはぎの形状に対応して各支柱部２ｂ２を形成する複数の繊維の束が分離して複数の縦の繊維２ｂ２１が下端部（以下、要（かなめ）部と言う）２ｂ３を中心として扇形になる。このような形状になることにより、ボディー部２の足に対するずれを抑制することができる。また、引っ張ると扇形になるように形成された支柱部２ｂ２は、柔らかくて済む。このため、ふくらはぎに対する負担を軽減することができる。なお、扇形の幅は、図示のものに限定されない。
要部２ｂ３がアキレス腱に対応する部位に位置しているこれにより、アキレス腱から上の部分のボディー部２が落下することを抑制することができる。
【００１４】
また、編み込み部２ｂ１の形状をヘリンボーン状とすることにより、ボディー部２のずり落ちをさらに抑制することができる。これにより、フット部３がずれることを抑制することができる。さらに、フット部３のずれを抑制することで、靴下１が足にフィットした状態を保つことができる。
【００１５】
一般的な靴下ではフット部３に踵に合わせるための縫製がされている。このため、例えば男性であればサイズが２５ｃｍ〜２７ｃｍのように、適用範囲が予め定められて販売されている場合が多い。足のサイズが適用範囲以外である人（例えば、足のサイズが２４．５ｃｍである人）がその靴下を着用すると、踵部分にずれがでてしまう。そうするとこのずれに起因して歩行時に靴下のボディー部がずり下がってくる。そうすると、下腿部から足趾にかけて余分な力が加わる。そうすると、足が筋肉疲労を起こしたり、むくみが発生したりする。実施の形態の靴下１によれば、これらを軽減させることができる。
【００１６】
また、朝と夕方では足の大きさが変わることが知られている。このため、例えば朝方は自分の足のサイズに合った靴下を着用している人でも夕方に靴下と足のズレが出てくる可能性がある。このような場合でも例えば、夕方に一度靴下１のボディー部２を引っ張り上げてやることにより、靴下１を足にフィットさせることができ、健康が保てる。
【００１７】
また、特に子供は、成長期は足の大きさが変わる。踵と靴下が１ｍｍ、２ｍｍでもずれていれば、健康上好ましくなく、足にフィットする方が良いため、靴下１は好適である。
【００１８】
また、踵がない靴下１は、履く向きが特に限定されていない。これにより例えば、足のサイズに応じて靴下を買い換えなくてもよいので、経済上も負担を軽減することができる。また、靴下１を履く度に踵が当たる部分を異ならせることで、踵を持つ靴下に比べて、生地のすり減り（摩耗）を抑制することができる。このため、経済的な負担も軽減することができる。
【００１９】
ボディー部に滑り止めを設けずに踵がない靴下を履いて歩くと踵がずれる。踵の上にアキレス腱があるが、普通の生地だと生地が浮く。すると、歩行時に足趾の方に生地が移動してずれるため、靴下が脱げ易くなる。実施の形態の靴下１によれば、アキレス腱のところからずれないようにすることができる。また、履きやすい。
＜第２の実施の形態＞
次に、第２の実施の形態の靴下について説明する。
図３は、第２の実施の形態の靴下を示す図である。第１の実施の形態の靴下と同じ機能を持つ部分には同じ符号を付し、詳細な説明を省略する。
靴下１ａのボディー部４には、ふくらはぎを包み込むことでボディー部４のずり落ちを抑制する保持部４ｂが設けられている。
【００２０】
保持部４ｂには、ふくらはぎに対応する部分に山と山の部分が重なるように編み込み部４ｂ１が形成されている。編み込み部４ｂ１の繊維の幅は、一例として０．３ｍｍ〜０．５ｍｍである。編み込み部４ｂ１は、山と山の部分が重なることで、上方向からの圧力に耐える力が強くなっている。足はアキレス腱の部分が細くふくらはぎの部分が太い。このため、上方向から下方向への圧力がかかる。編み込み部４ｂ１をこのような形状にすることにより、上方向から下方向への圧力を支える支軸となる。
図４は、第２の実施の形態の靴下の変形例を示す図である。
【００２１】
図４に示す靴下１ｂの保持部４ｂには、山をやや崩したような波打つような形状にした編み込み部４ｂ２が形成されている。これにより、横方向に広がりやすくなり、靴下を履きやすくすることができる。
【００２２】
＜第３の実施の形態＞
次に、第３の実施の形態の靴下について説明する。第１の実施の形態の靴下と同じ機能を持つ部分には同じ符号を付し、詳細な説明を省略する。
図５は、第３の実施の形態の靴下を示す図である。
靴下１ｃは、ボディー部５とフット部３とを有している。
靴下１ｃは、踵を包み込むためのゴアラインが設けられていない、いわゆる踵がない靴下である。
ボディー部５には足が挿入される開口部５ａが形成されている。ボディー部５には、ふくらはぎを包み込むことでボディー部５のずり落ちを抑制する保持部５ｂが設けられている。
【００２３】
この保持部５ｂには、ふくらはぎに対応する部分に斜めの編み込みがなされている。そして、編み込みの一部に本生地とポリエステルまたはビニール製の芯を形成する格子状の支柱部５ｂ１が設けられている。
【００２４】
支柱部５ｂ１の径は例えば、０．３〜０．５ｍｍである。隣り合う支柱部５ｂ１の間隔は例えば、１ｍｍである。また、支柱部５ｂ１の構成材料は特に限定されないが、例えばビニール製、ナイロン製、ポリエステルの束等、プラスチックの柔らかい素材で形成されている。
【００２５】
斜めに繊維が縫い合わせてあると、履いているうちに足と靴下の踵部分がずれる。そのため、斜めの縫い合わせ部分の間に支柱部５ｂ１を入れることにより、ずれを抑制することができる。
【００２６】
また、フット部３には、踵対応部３ａが設けられている。踵対応部３ａは、本生地にナイロン製の素材が編み込まれている部分である。なお、図５では、踵対応部３ａが分かるように、踵対応部３ａと踵対応部３ａ以外の部位を示す境界線を図示したが、境界線が視認できないようになっていてもよい。この踵対応部３ａの幅（図５中、上下方向の長さ）は、例えば３ｃｍ程度である。
【００２７】
この靴下１ｃには踵の形状に即した意図的な編み加工が設けられていないため、編み加工の位置を気にせず履くことができる。また、靴下１ｃを何度も履くことにより、自分の踵に対応する部分が、伸びて踵部分ができてくる。これにより、より足にフィットし易い靴下となる。
【００２８】
ボディー部５の周方向に滑り止めを設ければ、ボディー部５の縦方向（足の挿入方向）に滑り止めを配置した場合に比べて摩擦は大きくなる。しかしながら、ボディー部５の周方向に滑り止めを設けた場合、ボディー部５の自重によりボディー部５が下がってしまうことがある。対して、ボディー部５の縦方向にのみ滑り止めを設けた場合は、ボディー部５の自重によりボディー部５が下がってしまうことは抑制することができる。しかし、足が変形することに起因して生じる靴下のねじれには弱い。具体的には、足は様々な曲線部を備えている。このため靴下は、様々な方向から圧力がかかる。
【００２９】
靴下１ｃにように斜め方向に滑り止めを設けることにより、縦方向にもある程度の摩擦力を保ちつつ、足の変形に起因する圧力にもある程度耐えることができる。また、靴下１ｃの着脱も容易となる。
【００３０】
図６は、第３の実施の形態の靴下を着用したときの一例を示す図である。図６は、一例として靴下１ｃを着用した右足１０を内くるぶし側から見た図を示している。
【００３１】
着用時には、踵対応部３ａの踵側が伸張し、右足１０の甲側が伸縮することにより踵が包み込まれる。踵を包み込むことにより、踵が安定する。そうすると、ずれがないために踵に力が入る。
【００３２】
歩くときは踵が先について、足で蹴る。まず踵に力が入らないと、重心がぶれる。踵が包み込まれていれば、靴下がずれにくくなる。また、大きなズレを抑制できる。
【００３３】
また、踵対応部３ａは、例えば本生地の上にナイロンを縫い合わせた二重構造とする場合等に比べ、通気性をよくすることができるため、夏等暑い時期に使用してもムレを抑制することができる。
【００３４】
以上、本発明の靴下を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００３５】
１、１ａ、１ｂ、１ｃ  靴下
２、４  ボディー部
２ｂ、４ｂ、５ｂ  保持部
２ｂ１、４ｂ１、４ｂ２  編み込み部
２ｂ２１  繊維
２ｂ２、５ｂ１  支柱部
２ｂ３  要部
３  フット部
３ａ  踵対応部
【図１】
2014173204.tif 000003
【図２】
2014173204.tif 000004
【図３】
2014173204.tif 000005
【図４】
2014173204.tif 000006
【図５】
2014173204.tif 000007
【図６】
2014173204.tif 000008